(57)【要約】      （修正有）【課題】水流エネルギーの取り出しにロスがなく、かつ、装置の故障リスクを軽減することができ、しかも、水路内への設置およびメンテナンス作業も容易な水力発電装置の水路設置構造を提供する。【解決手段】プロペラにより回転軸を回転せしめることによりケーシング内に収容されたコイルを回転させて発電可能であって、かつ、誘導電流を電線を通じて前記ケーシング外部に送電可能なモータ発電機を、筒体２の内部に収容する一方、この筒体２には、取水口２１と排水口２２とを形成して、かつ、前記モータ発電機の電線を前記ケーシングの外部へ連ね出して、前記筒体２を支持フレーム３に固定し、この支持フレーム３により当該筒体２を懸架して水中に設置可能にする一方、この支持フレーム３に配設された昇降機構３１により筒体２を昇降させることによって、前記モータ発電機を水上に退避して、かつ着脱可能に構成する。【選択図】図４
0003157842.tif 000002
【実用新案登録請求の範囲】
【請求項１】
所定幅員の水路Ｗ内において発電装置を設置するための構造であって、
プロペラ11により回転軸12を回転せしめることによりケーシング10内に収容されたコイルを回転させて発電可能であって、かつ、誘導電流を電線13を通じて前記ケーシング10外部に送電可能なモータ発電機１が、筒体２の内部に収容されている一方、
この筒体２には、取水口21と排水口22とが形成されており、かつ、前記モータ発電機１の電線13は前記ケーシング10の外部へ連なっており、
前記筒体２は支持フレーム３に固定されており、この支持フレーム３により当該筒体２を懸架して水中に設置可能である一方、この支持フレーム３に配設された昇降機構31により筒体２を昇降させることによって、前記モータ発電機１が水上に退避して、かつ着脱可能に構成したことを特徴とする水力発電装置の水路設置構造。
【請求項２】
水路Ｗの片方の岸または擁壁において支持フレーム３のガイドレール32が設置されている一方、筒体２にはローラー部材23が配設されており、このローラー部材23が前記ガイドレール32内をスライドすることによって昇降自在に構成されていることを特徴とする請求項１記載の水力発電装置の水路設置構造。
【請求項３】
支持フレーム３の昇降機構31に、筒体２を昇降するための巻取りウインチ31ａが設けられていることを特徴とする請求項２記載の水力発電装置の水路設置構造。
【請求項４】
支持フレーム３を水路の両方の岸または擁壁に亙り掛架することによって、前記筒体２を水中に懸架可能にしたことを特徴とする請求項１〜３の何れか一つに記載の水力発電装置の水路設置構造。
【請求項５】
モータ発電機１のケーシング10の外周部にフィン14が配設されていることを特徴とする請求項１〜４の何れか一つに記載の水力発電装置の水路設置構造。
【請求項６】
筒体２の取水口21が漏斗状に開口していることを特徴とする請求項１〜５の何れか一つに記載の水力発電装置の水路設置構造。
【請求項７】
筒体２の取水口21の前方に、異物の侵入を防止するためのガード部材21ａが配設されていることを特徴とする請求項１〜６の何れか一つに記載の水力発電装置の水路設置構造。
【請求項８】
モータ発電機１のプロペラ11が、筒体２の取水口21側になるように取り付けられていることを特徴とする請求項１〜７の何れか一つに記載の水力発電装置の水路設置構造。
【請求項９】
筒体２の一部に透明な窓部24を設け、モータ発電機１のプロペラ11の配設該当位置が外側から視認できるようにしたことを特徴とする請求項１〜８の何れか一つに記載の水力発電装置の水路設置構造。
【考案の詳細な説明】
【技術分野】
【０００１】
本発明は、水力発電装置の改良、更に詳しくは、水流エネルギーの取り出しにロスがなく、かつ、装置の故障リスクを軽減することができ、しかも、水路内への設置およびメンテナンス作業も容易な水力発電装置の水路設置構造に関するものである。
【背景技術】
【０００２】
周知のとおり、発電の手段として、火力発電や原子力発電、水力発電などがあり、中でも、水力発電は燃料を使用しないため、地球温暖化防止などの環境問題解決の上でもクリーンエネルギーとして非常に重要である。
【０００３】
ところで、水力発電は、通常、ダムの放水路や河川などの比較的流量の大きい場所で行われることが多いため、導水管やゲートなどの大規模な施設が必要である。
【０００４】
そこで、最近では、用水路などの小規模な水量の構造物において発電をすることによって、身近な流水エネルギーを有効に利用することができる、所謂「小水力発電・マイクロ水力発電」についての発電設備が開示されている（例えば、特許文献１参照）。
【０００５】
しかしながら、かかる水力発電設備にあっては、水路に回転羽根を支承したケーシング部材を設置しているため、不可避的に装置コストがかかってしまうという問題があった。また、受水した羽根の回転をタービンに伝えるためには、装置外部に回転軸を延成してこの回転トルクを取り出す必要があるけれども、この機構部分が故障することによってうまく伝達できないおそれがある。
【先行技術文献】
【特許文献】
【０００６】
【特許文献１】特許第４０２２２４４号公報（第３−６頁、図１−４）
【考案の概要】
【考案が解決しようとする課題】
【０００７】
本考案は、従来の水力発電装置に上記のような問題があったことに鑑みて為されたものであり、その目的とするところは、水流エネルギーの取り出しにロスがなく、かつ、装置の故障リスクを軽減することができ、しかも、水路内への設置およびメンテナンス作業も容易な水力発電装置の水路設置構造を提供することにある。
【課題を解決するための手段】
【０００８】
本考案者が上記課題を解決するために採用した手段を添付図面を参照して説明すれば次のとおりである。
【０００９】
即ち、本考案は、所定幅員の水路Ｗ内において発電装置を設置するための構造であって、プロペラ11により回転軸12を回転せしめることによりケーシング10内に収容されたコイルを回転させて発電可能であって、かつ、誘導電流を電線13を通じて前記ケーシング10外部に送電可能なモータ発電機１を、筒体２の内部に収容する一方、
この筒体２には、取水口21と排水口22とを形成して、かつ、前記モータ発電機１の電線13を前記ケーシング10の外部へ連ね出して、
前記筒体２を支持フレーム３に固定し、この支持フレーム３により当該筒体２を懸架して水中に設置可能にする一方、この支持フレーム３に配設された昇降機構31により筒体２を昇降させることによって、前記モータ発電機１を水上に退避して、かつ着脱可能に構成するという技術的手段を採用したことにより、水力発電装置の水路設置構造を完成させた。
【００１０】
また、本考案は、上記課題を解決するために、必要に応じて上記手段に加え、水路Ｗの片方の岸または擁壁において支持フレーム３のガイドレール32を設置する一方、筒体２にはローラー部材23を配設して、このローラー部材23を前記ガイドレール32内をスライドさせることによって昇降自在に構成するという技術的手段を採用した。
【００１１】
更にまた、本考案は、上記課題を解決するために、必要に応じて上記手段に加え、支持フレーム３の昇降機構31に、筒体２を昇降するための巻取りウインチ31ａを設けるという技術的手段を採用した。
【００１２】
更にまた、本考案は、上記課題を解決するために、必要に応じて上記手段に加え、支持フレーム３を水路の両方の岸または擁壁に亙り掛架することによって、前記筒体２を水中に懸架可能にするという技術的手段を採用した。
【００１３】
更にまた、本考案は、上記課題を解決するために、必要に応じて上記手段に加え、モータ発電機１のケーシング10の外周部にフィン14を配設するという技術的手段を採用した。
【００１４】
更にまた、本考案は、上記課題を解決するために、必要に応じて上記手段に加え、筒体２の取水口21を漏斗状に開口させるという技術的手段を採用した。
【００１５】
更にまた、本考案は、上記課題を解決するために、必要に応じて上記手段に加え、筒体２の取水口21の前方に、異物の侵入を防止するためのガード部材21ａを配設するという技術的手段を採用した。
【００１６】
更にまた、本考案は、上記課題を解決するために、必要に応じて上記手段に加え、モータ発電機１のプロペラ11を、筒体２の取水口21側になるように取り付けるという技術的手段を採用した。
【００１７】
更にまた、本考案は、上記課題を解決するために、必要に応じて上記手段に加え、筒体２の一部に透明な窓部24を設け、モータ発電機１のプロペラ11の配設該当位置が外側から視認できるようにするという技術的手段を採用した。
【考案の効果】
【００１８】
本考案にあっては、プロペラにより回転軸を回転せしめることによりケーシング内に収容されたコイルを回転させて発電可能であって、かつ、誘導電流を電線を通じて前記ケーシング外部に送電可能なモータ発電機を筒体の内部に収容する一方、この筒体には、取水口と排水口とを形成して、かつ、前記モータ発電機の電線を前記ケーシング外部へ連ね出して、前記筒体を支持フレームに固定し、この支持フレームにより当該筒体を懸架して水中に設置可能にする一方、この支持フレームに配設した昇降機構により筒体を昇降させることによって、前記モータ発電機を水上に退避して、かつ着脱可能にすることができる。
【００１９】
したがって、本考案の水路設置構造によれば、河川や小川、下水道、排水溝、農業用水路などの様々な水路に簡単に導入することができて、水流エネルギーの取り出しにロスがなく、かつ、装置の故障リスクを軽減することができ、しかも、水路内への設置およびメンテナンス作業も容易なことから、実用的利用価値は頗る高いものがあると云える。
【図面の簡単な説明】
【００２０】
【図１】本考案の実施形態のモータ発電機を表わす全体斜視図である。
【図２】本考案の実施形態の筒体を表わす全体斜視図である。
【図３】本考案の実施形態の筒体にモータ発電機を設置した状態を表わす全体斜視図である。
【図４】本考案の実施形態の水路設置構造を表わす説明斜視図である。
【図５】本考案の実施形態の筒体にモータ発電機を設置した状態の変形例を表わす全体斜視図である。
【考案を実施するための形態】
【００２１】
本考案を実施するための形態を、具体的に図示した図面に基づいて更に詳細に説明すると、次のとおりである。
【００２２】
本考案の実施形態を図１から図５に基づいて説明する。図中、符号１で指示するものはモータ発電機であり、このモータ発電機１は、プロペラ11により回転軸12を回転せしめることによりケーシング10内に収容されたコイルを回転させて発電することができる。本実施形態では、３枚羽根のプロペラ11を２機配置する（図１参照）。また、コイルにより発生した誘導電流を電線13を通じて前記ケーシング10の外部に送電することができる。この際、防水用のパイプ内にケーブルを挿通させることができる。
【００２３】
なお、本実施形態におけるモータ発電機１の具体的仕様は、定格出力：３ｋＷ、定格電圧：ＡＣ２００Ｖ、定格電流：８．７Ａ、相数：３相、極数：８極、回転数：１５００ｒｐｍ、動作温度：−１０℃〜４０℃である。
【００２４】
また、符号２で指示するものは筒体であり、この筒体２には、取水口21と排水口22とが形成されており、本実施形態では、不錆材料としてアルミニウムを円筒状に作製するとともに、筒体２の取水口21を漏斗状に開口せしめて、筒体内の水流を増速させることができる。なお、漏斗部は着脱自在に構成しても良いし、一体に成形することもできる（図２参照）。
【００２５】
しかして、本考案は、所定幅員の水路Ｗ内において発電装置を設置するための構造であって、構成するにあっては、まず、モータ発電機１を、筒体２の内部に収容する（図３参照）。本実施形態では、モータ発電機１のケーシング10の外周部にフィン14を配設することができ、筒体２内に支持しやすくすることができる。この際、フィン14を等角放射状に３枚設ける。
【００２６】
また、本実施形態では、モータ発電機１のプロペラ11を、筒体２の取水口21側になるように取り付けることによって、上流側で大きな流水エネルギーを受けることができる。
【００２７】
更にまた、筒体２の胴部に貫通孔を形成し、この貫通孔から前記モータ発電機１の電線13を前記ケーシング10の外部へ連ねることができる。
【００２８】
そして、前記筒体２を支持フレーム３に固定して、この支持フレーム３により当該筒体２を懸架して水中に設置可能にする（図４参照）。
【００２９】
本実施形態では、水路Ｗの片方の岸または擁壁（本実施形態では擁壁）に支持フレーム３のガイドレール32を設置する。このガイドレール32として、コの字型の断面形状のチャンネル部材を使用する。
【００３０】
一方、前記筒体２にはローラー部材23を配設する。本実施形態では、アーム状に持ち出した先端に回転式のゴムローラーを配設して、このローラー部材23を前記ガイドレール32内にスライドさせることができる。
【００３１】
また、この支持フレーム３には昇降機構31を配設して、前記筒体２を昇降させることによって、前記モータ発電機１を水上に退避させ、かつメンテナンス時には筒体２ごと着脱することができる。本実施形態では、支持フレーム３の昇降機構31として、門型フレームからワイヤーを垂下して筒体２を吊支するとともに、滑車等でワイヤーを連通して、巻取りウインチ31ａを設けて、筒体２を昇降することができる。この巻取りウインチ31ａは手動・自動を問わない。なお、水面近くの方が流速が大きいため、筒体２を水面近くに設置するのが好ましい。
【００３２】
本実施形態では、支持フレーム３のガイドレール32の端部を弯曲させることができ、メンテナンス時などに、この弯曲端部から筒体２を着脱することができる。
【００３３】
また、支持フレーム３を水路の両方の岸または擁壁に亙り掛架することによって、前記筒体２を水中に懸架することもできる。
【００３４】
本実施形態では、図５に示すように、筒体２の取水口21の前方に、異物の侵入を防止するためのガード部材21ａを配設することができ、プロペラ11や発電機本体の破損を防止することができる。なお、このガード部材21ａは、例えば、錐状の支柱に網を張るなどできるが、流速を必要以上に減衰させないようにする。
【００３５】
更に、本実施形態では、筒体２の一部に透明な窓部24を設け、モータ発電機１のプロペラ11の配設該当位置が外側から視認できるようにすることができ、回転状況の確認をすることができる。
【００３６】
本考案は、概ね上記のように構成されるが、図示の実施形態に限定されるものでは決してなく、「実用新案登録請求の範囲」の記載内において種々の変更が可能であって、例えば、モータ発電機１のプロペラ11の形状や個数は、必要に応じて、適宜、変更することができる。
【００３７】
また、筒体２の形状も角筒状（四角形など）のものを採用しても良いし、更にまた、支持フレーム３の構造も限定されるものではなく、筒体２を水中に配置できるものであれば良く、これら何れのものも本考案の技術的範囲に属する。
【符号の説明】
【００３８】
１    モータ発電機
10    ケーシング
11    プロペラ
12    回転軸
13    電線
14    フィン
２    筒体
21    取水口
21ａ  ガード部材
22    排水口
23    ローラー部材
24    窓部
３    支持フレーム
31    昇降機構
31ａ  ウインチ
32    ガイドレール
Ｗ    水路
【図１】
0003157842.tif 000003
【図２】
0003157842.tif 000004
【図３】
0003157842.tif 000005
【図４】
0003157842.tif 000006
【図５】
0003157842.tif 000007